(57)【要約】【課題】食器洗い機内部に収納されている食器類が洗浄済みであるか否かを使用者に報知するとともに、省エネルギーを実現した食器洗い機を実現すること。【解決手段】運転コースの運転終了時に、表示部８による所定の運転終了報知を行った後、その運転終了報知を停止し、その後においては、初めて操作部７に触れられた時、または、初めて扉体に触れられた時あるいは初めて扉体が開放もしくは引き出された時のみ、表示部８の「洗浄済み」ランプによって食器類６が洗浄済みであることを報知する食器洗い機としたものであり、運転終了後、次に使用する際に、食器洗い機内部に収納されている食器類６が洗浄済みであるか否かを使用者に報知することができるとともに、その時まで運転終了報知を停止することにより、省エネルギーを実現することができる。【選択図】図５
2012011015.tif 000002
【特許請求の範囲】
【請求項１】
食器類を収納する洗浄槽と、食器類を前記洗浄槽に収納する際に開放もしくは引き出される扉体と、洗い、すすぎ、乾燥の各工程を逐次制御する制御手段と、前記各工程を組み合わせてなる運転コースの設定などの運転操作を行う操作手段と、運転状態を報知する報知手段とを備え、前記制御手段は、前記運転コースの運転終了時に、前記報知手段による所定の運転終了報知を行った後、その運転終了報知を停止し、その後においては、初めて前記操作手段に触れられた時、または、初めて前記扉体に触れられた時あるいは初めて前記扉体が開放もしくは引き出された時のみ、前記報知手段によって食器類が洗浄済みであることを報知する食器洗い機。
【請求項２】
前記制御手段は、運転コースの運転終了後所定時間以内に、前記操作手段に触れられた時、または、前記扉体に触れられた時あるいは前記扉体が開放もしくは引き出された時は、前記報知手段による洗浄済み報知を行わない請求項１記載の食器洗い機。
【請求項３】
前記制御手段は、前記報知手段によって食器類が洗浄済みであることを報知した後、再度前記操作手段に触れられた時、または、再度前記扉体に触れられた時あるいは前記扉体が閉成もしくは戻された時に、前記報知手段による洗浄済み報知を終了する請求項１または２記載の食器洗い機。
【請求項４】
前記制御手段は、前記報知手段によって食器類が洗浄済みであることを報知した後、所定時間経過した時、前記報知手段による洗浄済み報知を終了する請求項１〜３のいずれか１項記載の食器洗い機。
【請求項５】
洗い工程より前に食器類の予洗を行う予洗工程を備え、前記制御手段は、前記予洗工程のみよりなる予洗コースを実行した場合は、その運転終了後初めて前記操作手段に触れられた時、または、初めて前記扉体に触れられた時あるいは初めて前記扉体が開放もしくは引き出された時にも、前記報知手段による洗浄済み報知を行わない請求項１〜４のいずれか１項記載の食器洗い機。
【請求項６】
前記報知手段は、電球、液晶表示、機械的表示等による表示装置である請求項１〜５のいずれか１項記載の食器洗い機。
【請求項７】
前記報知手段は、ブザー、メロディー、音声等による音声装置である請求項１〜６のいずれか１項記載の食器洗い機。
【発明の詳細な説明】
【技術分野】
【０００１】
本発明は食器類等の被洗浄物を収納して洗浄する食器洗い機に関するものである。
【背景技術】
【０００２】
昨今のライフスタイルの多様化に伴い、家族間でも食事の時間が異なり、食事を終えて食器類を食器洗い機に投入しようとした場合、すでに食器洗い機内に食器類が収納されている場合がある。そのとき、収納されている食器類がすでに洗浄済みのものであるのか、これから洗浄するものであるのかが判らないという課題がある。
【０００３】
この課題を解決するために、食器類が洗浄済みであるか否かを判定する洗浄状態判定手段を備えて、洗浄が終了してから食器類が洗浄済みでなくなったと判断するまで、内部に収納されている食器類が洗浄済みであることを使用者に報知し続けるようにした食器洗い機が提案されている（例えば、特許文献１参照）。
【０００４】
従来のこの種の食器洗い機では、例えば、図６に動作フローを示すように、洗い、すすぎ、乾燥の一連の工程が終了した時点で洗浄済み表示部を点灯させ、その後、扉体の開閉を検知するオンオフスイッチによって扉体が開かれたことを検知するまで、洗浄済み表示部を点灯し続けることにより、内部に収納されている食器類が洗浄済みであることを使用者に知らせるというものであった。
【先行技術文献】
【特許文献】
【０００５】
【特許文献１】特開２００８−６７７９３号公報
【発明の概要】
【発明が解決しようとする課題】
【０００６】
しかしながら、このような従来の構成では、洗浄が終了して以降、扉体が開かれたこと等により食器類が洗浄済みでなくなったと判断するまで、洗浄済み表示部を点灯し続けるため、夕食が終わって食器類の洗浄を行い、それ以降使用する者がなかった場合など、翌朝まで洗浄済み表示部が点灯されたままで、省エネルギーの観点から課題があった。点灯によって消費される電気エネルギーは、洗浄時のそれと比較して些少なものであるが、多数集まれば相当のエネルギーを無駄に消費していることになり、地球環境の観点からも課題である。
【０００７】
本発明は、上記従来の課題を解決するもので、食器洗い機内部に収納されている食器類が洗浄済みであるか否かを使用者に報知するとともに、省エネルギーを実現した食器洗い機を提供することを目的としている。
【課題を解決するための手段】
【０００８】
本発明は上記目的を達成するために、食器類を収納する洗浄槽と、食器類を前記洗浄槽に収納する際に開放もしくは引き出される扉体と、洗い、すすぎ、乾燥の各工程を逐次制御する制御手段と、前記各工程を組み合わせてなる運転コースの設定などの運転操作を行う操作手段と、運転状態を報知する報知手段とを備え、前記制御手段は、前記運転コースの運転終了時に、前記報知手段による所定の運転終了報知を行った後、その運転終了報知を停止し、その後においては、初めて前記操作手段に触れられた時、または、初めて前記扉体に触れられた時あるいは初めて前記扉体が開放もしくは引き出された時のみ、前記報知手段によって食器類が洗浄済みであることを報知する食器洗い機である。
【０００９】
これによって、食器洗い機内部に収納されている食器類が洗浄済みであるか否かを使用者に報知することができるとともに、省エネルギーを実現することができる。
【発明の効果】
【００１０】
本発明の食器洗い機は、食器類等の被洗浄物を収納して洗浄する食器洗い機において、食器洗い機内部に収納されている食器類が洗浄済みであるか否かを使用者に報知することができるとともに、省エネルギーを実現することができる。
【図面の簡単な説明】
【００１１】
【図１】本発明の実施の形態１における食器洗い機の外観斜視図
【図２】同食器洗い機の側断面図
【図３】同食器洗い機の操作部および表示部を示す図
【図４】同食器洗い機の運転コースの運転終了までの動作を示すフローチャート
【図５】同食器洗い機の運転コースの運転終了後の動作を示すフローチャート
【図６】従来の食器洗い機の動作を示すフローチャート
【発明を実施するための形態】
【００１２】
第１の発明は、食器類を収納する洗浄槽と、食器類を前記洗浄槽に収納する際に開放もしくは引き出される扉体と、洗い、すすぎ、乾燥の各工程を逐次制御する制御手段と、前記各工程を組み合わせてなる運転コースの設定などの運転操作を行う操作手段と、運転状態を報知する報知手段とを備え、前記制御手段は、前記運転コースの運転終了時に、前記報知手段による所定の運転終了報知を行った後、その運転終了報知を停止し、その後においては、初めて前記操作手段に触れられた時、または、初めて前記扉体に触れられた時あるいは初めて前記扉体が開放もしくは引き出された時のみ、前記報知手段によって食器類が洗浄済みであることを報知することにより、運転終了後、次に使用する際に、食器洗い機内部に収納されている食器類が洗浄済みであるか否かを使用者に報知することができるとともに、その時まで運転終了報知を停止することにより、省エネルギーを実現することができる。
【００１３】
第２の発明は、上記第１の発明において、前記制御手段は、運転コースの運転終了後所定時間以内に、前記操作手段に触れられた時、または、前記扉体に触れられた時あるいは前記扉体が開放もしくは引き出された時は、前記報知手段による洗浄済み報知を行わないことにより、運転終了後すぐに、食器類を取り出したり、別のコースを運転したりする時に、余計な洗浄済み報知をしないようにして、使い勝手を向上させることができる。
【００１４】
第３の発明は、上記第１または第２の発明において、前記制御手段は、前記報知手段によって食器類が洗浄済みであることを報知した後、再度前記操作手段に触れられた時、または、再度前記扉体に触れられた時あるいは前記扉体が閉成もしくは戻された時に、前記報知手段による洗浄済み報知を終了することにより、洗浄済み報知によって使用者が洗浄槽内に収納されている食器類が洗浄済みであることを認識した後は、次の動作によって洗浄済み報知を終了して、余計な洗浄済み報知を続行しないようにして、使い勝手を向上させるとともに、省エネルギーを実現することができる。
【００１５】
第４の発明は、上記第１〜第３のいずれかの発明において、前記制御手段は、前記報知手段によって食器類が洗浄済みであることを報知した後、所定時間経過した時、前記報知手段による洗浄済み報知を終了することにより、洗浄済み報知によって使用者が洗浄槽内に収納されている食器類が洗浄済みであることを認識した後、次の動作を行わず放置したとしても、必要以上の報知を続行しないようにできるので、使い勝手を向上させるとともに、省エネルギーを実現することができる。
【００１６】
第５の発明は、上記第１〜第４のいずれかの発明において、洗い工程より前に食器類の予洗を行う予洗工程を備え、前記制御手段は、前記予洗工程のみよりなる予洗コースを実行した場合は、その運転終了後初めて前記操作手段に触れられた時、または、初めて前記扉体に触れられた時あるいは初めて前記扉体が開放もしくは引き出された時にも、前記報知手段による洗浄済み報知を行わないことにより、本洗浄を行っていない予洗のみが行われた後は、操作手段や扉体に触れても洗浄済み報知は行われないので、収納されている食器類は洗浄が終了していないことを使用者に確実に認識させることができる。
【００１７】
第６の発明は、上記第１〜第５のいずれかの発明において、前記報知手段は、電球、液晶表示、機械的表示等による表示装置であることにより、洗浄槽内に収納されている食器類が洗浄済みであることを視覚に訴えて確実に使用者に認識させることができ、誤認識を防止することができ、使い勝手を向上させることができる。
【００１８】
第７の発明は、上記第１〜第６のいずれかの発明において、前記報知手段は、ブザー、メロディー、音声等による音声装置であることにより、洗浄槽内に収納されている食器類が洗浄済みであることを聴覚に訴えて確実に使用者に認識させることができ、誤認識を防止することができ、使い勝手を向上させることができる。
【００１９】
以下、本発明の実施の形態について、図面を参照しながら説明する。なお、この実施の形態によって本発明が限定されるものではない。
【００２０】
（実施の形態１）
図１は本発明の実施形態１における食器洗い機の外観を示す外観斜視図、図２は同食器洗浄機の内部構成を示す側断面図、図３は同食器洗い機の操作部および表示部を示す図、図４は同食器洗い機の運転コースの運転終了までの動作を示すフローチャート、図５は同食器洗い機の運転コースの運転終了後の動作を示すフローチャートである。
【００２１】
図１、図２および図３において、食器洗い機本体１の正面側は上扉体２と下扉体３とに上下に２分割された扉体によって開閉自在に構成され、扉体を開くことにより食器洗い機本体１内に配設された洗浄槽４の正面側の開口部５を大きく開放して、被洗浄物である食器類６の洗浄槽４に対する出し入れが容易にできるように構成されている。下扉体３の下方の食器洗い機本体１前面には運転コースの設定などの運転操作を行う操作部７および運転状態を表示する表示部８が設けられている。
【００２２】
なお、操作部７および表示部８は、図１においては模式的に記載してあり、具体的には図３に記載した通りである。操作部７および表示部８は、内容を示す文字が各部に印刷された樹脂製または薄い金属製の一枚の板状に前面が形成されており、操作部７のすぐ後方には各部の文字に対応させてスイッチが配設され、表示部８のすぐ後方には各部の文字に対応させてＬＥＤランプが配設されている。「洗浄済み」等の表示部８は、ＬＥＤランプ以外に、電球、７セグメント数字表示による液晶表示、機械的表示等の表示装置が使用可能である。
【００２３】
食器洗い機本体１の下部には洗浄水を貯留する貯留部９内に連通する洗浄ポンプ１０が配置され、洗い工程において、洗浄ポンプ１０によって圧送される洗浄水は洗浄槽４の内底部に回転自在に支持された洗浄ノズル１１から噴射される。洗浄槽４内には食器類６を収容する食器かご１２が配置され、洗い工程においては、ヒータ１３によって加熱された洗浄水が回転する洗浄ノズル１１から噴出され、食器類６は満遍なく洗浄される。
【００２４】
食器洗い機本体１内には、洗浄ポンプ１０、ヒータ１３、送風ファン、給水装置、排水
装置等の動作を制御する制御装置（図示せず）が備えられており、この制御装置は操作部７からの入力信号を受けて、洗い工程、すすぎ工程、乾燥工程等のすべての工程を制御し実行する。この制御装置は、上記洗い工程、すすぎ工程、乾燥工程を組み合わせて設定された「標準コース」、「強力コース」、「少量コース」、「乾燥のみコース」等の各種コースの動作シーケンスをあらかじめ記憶させたメモリを備えており、操作部７を操作して選択、設定されたコースに応じて、メモリから読み出した動作シーケンスに従って必要な工程を実行する。
【００２５】
また、下扉体３には、上扉体２と下扉体３とを食器洗い機本体１（洗浄槽４でもよい）に閉成してロックするロック手段１４と、押し込んでロック手段１４を解除する等の操作によって上扉体２と下扉体３とを連動して開放する扉体操作部１５とが設けられている。上扉体２と下扉体３を閉めるには、下扉体３を手動にて押すことによって上扉体２と下扉体３とが連動して閉じられる構成である。また、食器洗い機本体１（洗浄槽４でもよい）の側面前部に、下扉体３の開閉を検知するオンオフスイッチ等の扉体開閉検知手段１６を設けてある。
【００２６】
以上のように構成した食器洗い機について、主として図４、図５を用いて、その動作、作用を説明する。まず、図４に示すように、使用者は、図３に示した操作部７の「電源切／入」ボタンを押して電源を入れ（ステップＳ１）、「コース」ボタンを押すたびに切り替わる表示部８を見ながら希望の運転コースを選択した後（ステップＳ２）、「一時停止／スタート」ボタンを押すと選択した運転コースの運転がスタートする（ステップＳ３）。
【００２７】
制御装置は、扉体開閉検知手段１６からの信号によって扉体（上扉体２および下扉体３）が完全に閉じているかを確認し（ステップＳ４）、扉体が開いていれば、表示部８の「扉体開」ランプを点灯させて使用者に報知し（ステップＳ５）、扉体が閉じていれば、選択された運転コースに応じて、洗い工程、すすぎ工程および乾燥工程を実行し（ステップＳ６〜Ｓ８）、洗浄を終了し（ステップＳ９）、洗浄終了表示として表示部８の「洗浄済み」ランプを点灯して、使用者に洗浄が終了したことを報知する（ステップＳ１０）。そして、第１の所定時間が経過すると（ステップＳ１１）、「洗浄済み」ランプを消灯する（ステップＳ１２）とともに、電源も切って運転を終了する。
【００２８】
以降、次の使用者が使用するまで、電源は切れているが制御装置には通電されており、制御装置は、操作部７に触れられるか、扉体に触れられるか、扉体が開放されるかを監視し続けている。また、直前の運転終了から第２の所定時間が経過するか否かを計測している。
【００２９】
その後、遅れて食事をした等のため、次の使用者が汚れた食器類６を洗浄しようとした時、図５に示すように、上記の運転以降に操作部７に初めて触れられたことを制御装置が検知すると（ステップＳ１３）、直前の運転終了から第２の所定時間を経過しているかを判断して（ステップＳ１４）、経過していれば、表示部８の「洗浄済み」ランプを点灯して、新たな使用者に、食器洗い機内に収納されている食器類６がすでに洗浄済みであることを報知する（ステップＳ１５）。この報知によって、新たな使用者は、収納されている食器類６がすでに洗浄済みであることを認識し、収納されている食器類６を食器洗い機から取り出して、新たな汚れている食器類６のみを収納して洗浄を行うことができる。
【００３０】
なお、新たな使用者が操作部７に触れたことを制御装置に検知させる方法としては、操作部７のいずれかのボタンが押されることを検知する方法や、操作部７および表示部８を備える前面パネルを静電容量式のタッチパネルにして触れたことを検知する方法等が適用可能である。
【００３１】
新たな使用者が操作部７に触れなくても、上記の運転以降に扉体（上扉体２もしくは下扉体３）に初めて触れるか初めて扉体が開いたことを検知すると（ステップＳ１６）、制御装置は、直前の運転終了から第２の所定時間を経過しているかを判断し（ステップＳ１４）、経過していれば、表示部８の「洗浄済み」ランプを点灯して、新たな使用者に、食器洗い機内に収納されている食器類６がすでに洗浄済みであることを報知する（ステップＳ１５）。なお、新たな使用者が扉体に触れたことを制御装置に検知させる方法としては、下扉体３に設けた扉体操作部１５が押されることを検知する方法や、静電容量式のタッチパネル方式によって上扉体２もしくは下扉体３に触れたことを検知する方法等が適用可能である。
【００３２】
ステップＳ１４で直前の運転コースの運転終了後第２の所定時間が経過していない場合は、操作部７に触れられたり、扉体に触れられたり、扉体が開放されたとしても、「洗浄済み」ランプ点灯による洗浄済み報知は行わずに、監視を終了する。このようにすることによって、運転終了後すぐに、食器類６を取り出したり、別のコースを運転したりする場合には、余計な洗浄済み報知をしないようにしてある。そして、ステップＳ１の電源を入れる前の状態に戻して、次回の運転に支障がないようにしてある。
【００３３】
次に、ステップＳ１５で点灯した「洗浄済み」ランプを見て食器洗い機内に収納されている食器類６がすでに洗浄済みであることを認識した新たな使用者は、収納されている食器類６を食器洗い機から取り出して、新たな汚れている食器類６のみを収納して洗浄を行うことになるが、以降は、もはや「洗浄済み」ランプを点灯し続ける必要はない。
【００３４】
そこで、制御装置は、操作部７に触れられたことを検知すると（ステップＳ１８）、「洗浄済み」ランプを消灯して（ステップＳ１９）、直前の運転終了以降の監視を終了する。また、操作部７に触れられなくても、扉体（上扉体２もしくは下扉体３）に触れるか扉体が閉じられたことを検知すると（ステップＳ２０）、上記と同様に、「洗浄済み」ランプを消灯して（ステップＳ１９）、直前の運転終了以降の監視を終了する。
【００３５】
ここで、ステップＳ１５で「洗浄済み」ランプを点灯して食器洗い機内に収納されている食器類６がすでに洗浄済みであることを報知した状態で長時間放置されることが想定されるため、上記のステップＳ１８およびステップＳ２０の前に、「洗浄済み」ランプを点灯してから第３の所定時間が経過したか否かを判定し（ステップＳ１７）、第３の所定時間が経過すれば、操作部７や扉体に触れられなくても、また、扉体が閉じられなくても、「洗浄済み」ランプを消灯して（ステップＳ１９）、直前の運転終了以降の監視を終了する。そして、ステップＳ１の電源を入れる前の状態に戻して、次回の運転に支障がないようにしてある。
【００３６】
以上のように動作するよう構成することにより、「洗浄済み」ランプを点灯して食器洗い機内に収納されている食器類６がすでに洗浄済みであることを報知した後は、必要以上に「洗浄済み」ランプが点灯し続けることを無くして、使い勝手を向上させるとともに、省エネルギーを実現している。
【００３７】
なお、本実施の形態では、ステップＳ１０で運転コースによる洗浄が終了したことを報知する方法を、ステップＳ１５で食器洗い機内に収納されている食器類６がすでに洗浄済みであることを報知する方法と同じ、表示部８の「洗浄済み」ランプを点灯することとしたが、「洗浄済み」ランプの「点灯」と「点滅」で区別したり、「洗浄済み」ランプとは別のランプを点灯あるいは点滅させたりする別な方法によって行ってもよい。
【００３８】
また、食器洗い機内に収納されている食器類６がすでに洗浄済みであることを報知する
報知手段は、ＬＥＤランプによる表示装置としたが、ブザー、メロディー、音声等による音声装置としてもよく、食器洗い機内（洗浄槽４内）に収納されている食器類６が洗浄済みであることを聴覚に訴えて確実に使用者に認識させることができる。また、表示装置と音声装置とを併用すれば、食器類６が洗浄済みであることを視覚と聴覚に訴えて確実に使用者に認識させることができ、より効果的である。
【００３９】
（実施の形態２）
本発明の実施の形態２における食器洗い機は、上記実施の形態１の食器洗い機の洗い工程（図４のステップＳ６）より前に、食器類６に付着した汚れを落ちやすい状態のうちに粗方落としておく、あるいは落ちにくい種類の汚れを膨潤させて食器類６の表面から落ちやすい状態にしておくための予洗を行う予洗工程を備えている。他の構成および基本の動作は実施の形態１と同じであり、詳細な説明は省略する。
【００４０】
このような予洗工程を備えた食器洗い機においては、通常、予洗工程のみを行う「予洗コース」を備えており、この「予洗コース」を運転した後の状態と、洗い工程を含むコースを運転した、いわゆる本洗浄を行った後の状態とを、いかにして区別して使用者に認識させるかという特有の課題がある。
【００４１】
本実施の形態では、ステップＳ２において予洗工程のみよりなる「予洗コース」を選択して実行させることが可能であり、この「予洗コース」を実行した場合は、制御装置は、「予洗コース」の運転終了後、初めて操作部７に触れられた時、または、初めて扉体に触れられた時あるいは初めて扉体が開放された時にも、表示部８の「洗浄済み」ランプ点灯による洗浄済み報知を行わないように構成してある。これにより、本洗浄を行っていない予洗のみが行われた後は、食器洗い機内に収納されている食器類６は洗浄が終了していないことを新たな使用者に確実に認識させるようにしている。
【００４２】
なお、上記実施の形態１および２では、食器洗い機本体１の正面に設けた扉体を開閉して食器類６の出し入れを行う卓上型の食器洗い機としたが、キッチンに組み込まれて正面に設けた扉体を下方に開いて食器類の出し入れを行うタイプや、前面に設けた扉体を前方に引き出して上方開口部から食器類の出し入れを行うタイプのビルトイン型の食器洗い機に対しても、本発明は適用することができる。扉体を前方に引き出してタイプのビルトイン型食器洗い機の場合は、上記各実施の形態の扉体の「開く」を「引き出す」に、また「閉じる」を「戻す」に、それぞれ置き換えることにより、実現することができる。
【００４３】
以上のように、本発明の食器洗い機によれば、運転コースの運転終了時に、報知手段による所定の運転終了報知を行った後、その運転終了報知を停止し、その後においては、初めて操作手段に触れられた時、または、初めて扉体に触れられた時あるいは初めて扉体が開放もしくは引き出された時のみ、報知手段によって食器類が洗浄済みであることを報知することにより、運転終了後、次に使用する際に、食器洗い機内部に収納されている食器類が洗浄済みであるか否かを使用者に報知することができるとともに、その時まで運転終了報知を停止することにより、省エネルギーを実現することができる。
【００４４】
また、運転コースの運転終了後所定時間以内に、操作手段に触れられた時、または、扉体に触れられた時あるいは扉体が開放もしくは引き出された時は、報知手段による洗浄済み報知を行わないことにより、運転終了後すぐに、食器類を取り出したり、別のコースを運転したりする時に、初めて操作手段や扉体に触れた場合であっても余計な洗浄済み報知をしないようにして、使い勝手を向上させることができる。
【００４５】
また、報知手段によって食器類が洗浄済みであることを報知した後、再度操作手段に触れられた時、または、再度扉体に触れられた時あるいは扉体が閉成もしくは戻された時に
、報知手段による洗浄済み報知を終了することにより、洗浄済み報知によって使用者が洗浄槽内に収納されている食器類が洗浄済みであることを認識した後は、次の動作によって洗浄済み報知を終了して、余計な洗浄済み報知を続行しないようにして、使い勝手を向上させるとともに、省エネルギーを実現することができる。
【００４６】
また、報知手段によって食器類が洗浄済みであることを報知した後、所定時間経過した時、報知手段による洗浄済み報知を終了することにより、洗浄済み報知によって使用者が洗浄槽内に収納されている食器類が洗浄済みであることを認識した後、次の動作を行わず放置したとしても、必要以上の報知を続行しないようにできるので、使い勝手を向上させるとともに、省エネルギーを実現することができる。
【００４７】
さらに、洗い工程より前に食器類の予洗を行う予洗工程を備えた食器洗い機においては、予洗工程のみよりなる予洗コースを実行した場合は、その運転終了後初めて操作手段に触れられた時、または、初めて扉体に触れられた時あるいは初めて扉体が開放もしくは引き出された時にも、報知手段による洗浄済み報知を行わないことにより、本洗浄を行っていない予洗のみが行われた後は、操作手段や扉体に触れても洗浄済み報知は行われないので、収納されている食器類は洗浄が終了していないことを使用者に確実に認識させることができる。
【産業上の利用可能性】
【００４８】
以上のように、本発明にかかる食器洗い機は、食器類等の被洗浄物を収納して洗浄する食器洗い機において、食器洗い機内部に収納されている食器類が洗浄済みであるか否かを使用者に報知することができるとともに、省エネルギーを実現することが可能となるので、卓上型およびビルトイン型の特に家庭用の食器洗い機等として有用である。
【符号の説明】
【００４９】
１  食器洗い機本体
２  上扉体（扉体）
３  下扉体（扉体）
４  洗浄槽
６  食器類
７  操作部（操作手段）
８  表示部（報知手段）
１０  洗浄ポンプ
１１  洗浄ノズル
１２  食器かご
１３  ヒータ
１６  扉体開閉検知手段
【図１】
2012011015.tif 000003
【図４】
2012011015.tif 000004
【図５】
2012011015.tif 000005
【図６】
2012011015.tif 000006
【図２】
2012011015.tif 000007
【図３】
2012011015.tif 000008